(57)【要約】【課題】  記録媒体に記録された音声データを再生する際に、その音声データに適合する画像データを外部機器から取得して、これらの音声データと画像データを同期を取りながら再生できるＡＶ再生方法を提供する。【解決手段】  まず、光ディスク１００から音声データ管理情報を取得して内部データ蓄積部１０２に格納するとともに、外部機器１１３から外部画像データ位置情報を取得して外部データ蓄積部１１１に格納する。そして、適合データ位置特定手段１１０によりこれらの音声データ管理情報と外部画像データ位置情報を照合して、音声データに適合する外部画像データを探索する。そして、音声データの再生時にその探索した外部画像データを外部機器１１３より取得して、これらの音声データと外部画像データを同期を取って再生する。【選択図】図１
2005328207.tif 000002
【特許請求の範囲】
【請求項１】
ＡＶ再生装置内の記録媒体に記録されている音声データと外部機器より取得した外部画像データとを同期を取って再生するＡＶ再生方法であって、
音声データの内容に係る情報を含む音声データ管理情報をＡＶ再生装置内の記録媒体から取得して内部データ蓄積部に格納する音声データ管理情報格納工程と、
外部機器内の記録媒体に記録されている外部画像データの内容に係る情報および外部画像データの記録位置に係る情報を含む外部画像データ位置情報を外部機器より取得して外部データ蓄積部に格納する外部画像データ位置情報格納工程と、
前記格納した前記音声データ管理情報と前記外部画像データ位置情報を照合し、音声データに適合する外部画像データを探索してその記録位置の情報を特定する適合データ記録位置特定工程と、
を備え、音声データの再生時に、前記探索した外部画像データを前記特定した記録位置の情報に基づいて外部機器より取得し、これらの音声データと外部画像データを同期を取って再生することを特徴とするＡＶ再生方法。
【請求項２】
請求項１記載のＡＶ再生方法であって、前記探索した外部画像データを外部機器より取得できなかった場合に、前記外部画像データ位置情報格納工程および前記適合データ記録位置特定工程を再度行うことを特徴とするＡＶ再生方法。
【請求項３】
請求項１もしくは２のいずれかに記載のＡＶ再生方法であって、外部機器から外部機器内の記録媒体が書き換えられたことが通知されると、前記外部画像データ位置情報格納工程および前記適合データ記録位置特定工程を行うことを特徴とするＡＶ再生方法。
【請求項４】
請求項１ないし３のいずれかに記載のＡＶ再生方法であって、前記外部画像データ位置情報格納工程において前記外部画像データ位置情報を取得できなかった場合、あるいは前記適合データ記録位置特定工程において音声データに適合する外部画像データを探索できなかった場合、あるいは前記探索した外部画像データを外部機器より取得できなかった場合に、前記格納した前記音声データ管理情報に基づくインターネット検索を外部機器に実行させ、音声データに適合する外部画像データのインターネット上の位置を示す情報を外部機器より取得して前記外部データ蓄積部に格納する工程を備え、音声データの再生時に、前記インターネット検索した外部画像データを前記インターネット上の位置を示す情報に基づいて外部機器より取得し、これらの音声データと外部画像データを同期を取って再生することを特徴とするＡＶ再生方法。
【請求項５】
請求項１ないし３のいずれかに記載のＡＶ再生方法であって、前記外部データ蓄積部には予め固定画像データが格納されており、前記音声データ管理情報格納工程において前記音声データ管理情報を取得できなかった場合、あるいは前記外部画像データ位置情報格納工程において前記外部画像データ位置情報を取得できなかった場合、あるいは前記適合データ記録位置特定工程において音声データに適合する外部画像データを探索できなかった場合、あるいは前記探索した外部画像データを外部機器より取得できなかった場合に、ＡＶ再生装置内の記録媒体に記録されている音声データと前記固定画像データを同期を取って再生することを特徴とするＡＶ再生方法。
【請求項６】
請求項４記載のＡＶ再生方法であって、前記外部データ蓄積部には予め固定画像データが格納されており、前記インターネット検索により音声データに適合する外部画像データを探索できなかった場合に、ＡＶ再生装置内の記録媒体に記録されている音声データと前記固定画像データを同期を取って再生することを特徴とするＡＶ再生方法。
【請求項７】
ＡＶ再生装置内の記録媒体に記録されている音声データと外部機器より取得した外部画像データとを同期を取って再生するＡＶ再生装置であって、
音声データの内容に係る情報を含む音声データ管理情報を当該ＡＶ再生装置内の記録媒体から取得して内部データ蓄積部に格納する音声データ管理情報格納手段と、
外部機器内の記録媒体に記録されている外部画像データの内容に係る情報および外部画像データの記録位置に係る情報を含む外部画像データ位置情報を外部機器より取得して外部データ蓄積部に格納する外部画像データ位置情報格納手段と、
前記内部データ蓄積部に格納した前記音声データ管理情報と前記外部データ蓄積部に格納した前記外部画像データ位置情報を照合し、音声データに適合する外部画像データを探索してその記録位置の情報を特定する適合データ記録位置特定手段と、
を備え、音声データの再生時に、前記適合データ記録位置特定手段により探索した外部画像データを前記適合データ記録位置特定手段により特定した記録位置の情報に基づいて外部機器より取得し、これらの音声データと外部画像データを同期を取って再生することを特徴とするＡＶ再生装置。
【請求項８】
請求項７記載のＡＶ再生装置であって、前記適合データ記録位置特定手段により探索した外部画像データを外部機器より取得できなかった場合に、前記外部画像データ位置情報格納手段および前記適合データ記録位置特定手段による処理を再度実行することを特徴とするＡＶ再生装置。
【請求項９】
請求項７もしくは８のいずれかに記載のＡＶ再生装置であって、外部機器から外部機器内の記録媒体が書き換えられたことが通知されると、前記外部画像データ位置情報格納手段および前記適合データ記録位置特定手段による処理を実行することを特徴とするＡＶ再生装置。
【請求項１０】
請求項７ないし９のいずれかに記載のＡＶ再生装置であって、前記外部画像データ位置情報格納手段によって前記外部画像データ位置情報を取得できなかった場合、あるいは前記適合データ記録位置特定手段によって音声データに適合する外部画像データを探索できなかった場合、あるいは前記適合データ記録位置特定手段により探索した外部画像データを外部機器より取得できなかった場合に、前記内部データ蓄積部に格納した前記音声データ管理情報に基づくインターネット検索を外部機器に実行させ、音声データに適合する外部画像データのインターネット上の位置を示す情報を外部機器より取得して前記外部データ蓄積部に格納する手段を備え、音声データの再生時に、前記インターネット検索した外部画像データを前記インターネット上の位置を示す情報に基づいて外部機器より取得し、これらの音声データと外部画像データを同期を取って再生することを特徴とするＡＶ再生装置。
【請求項１１】
請求項７ないし９のいずれかに記載のＡＶ再生装置であって、前記外部データ蓄積部には予め固定画像データが格納されており、前記音声データ管理情報格納手段によって前記音声データ管理情報を取得できなかった場合、あるいは前記外部画像データ位置情報格納手段によって前記外部画像データ位置情報を取得できなかった場合、あるいは前記適合データ記録位置特定手段によって音声データに適合する外部画像データを探索できなかった場合、あるいは前記適合データ記録位置特定手段により探索した外部画像データを外部機器より取得できなかった場合に、当該ＡＶ再生装置内の記録媒体に記録されている音声データと前記固定画像データを同期を取って再生することを特徴とするＡＶ再生装置。
【請求項１２】
請求項１０記載のＡＶ再生装置であって、前記外部データ蓄積部には予め固定画像データが格納されており、前記インターネット検索によって音声データに適合する外部画像データを探索できなかった場合に当該ＡＶ再生装置内の記録媒体に記録されている音声データと前記固定画像データを同期を取って再生することを特徴とするＡＶ再生装置。
【発明の詳細な説明】
【技術分野】
【０００１】
本発明は、光ディスクなどの記録媒体に記録されている音声データと外部機器から取得した画像データを同期を取って再生するＡＶ再生方法、およびＡＶ再生装置に関する。
【背景技術】
【０００２】
従来より、記録媒体に圧縮して記録されている音声データや画像データを再生することができるＡＶ機器として、ＤＶＤ（Ｄｉｇｉｔａｌ  Ｖｉｄｅｏ  ＤｉｓｋまたはＤｉｇｉｔａｌ  Ｖｅｒｓａｔｉｌｅ  Ｄｉｓｋ）プレーヤやＤＶＤレコーダなどが普及している。
【０００３】
また、従来より、ＡＶ機器には、様々なフォーマットの画像データや音声データを再生する機能が搭載されている。画像データのフォーマットの例としてはデジタル・スチル・カメラなどで記録されるＪＰＥＧ（Ｊｏｉｎｔ  Ｐｈｏｔｏｇｒａｐｈ  Ｅｘｐｅｒｔｓ  Ｇｒｏｕｐ）やＴＩＦＦ（Ｔａｇｇｅｄ  Ｉｍａｇｅ  Ｆｏｒｍａｔ）などがあり、音声データのフォーマットの例としてはＣＤ−ＤＡ（Ｃｏｍｐａｃｔ  Ｄｉｓｃ  Ｄｉｇｉｔａｌ  Ａｕｄｉｏ）やＭＰ３（ＭＰＥＧ  Ａｕｄｉｏ  Ｌａｙｅｒ３）などがある。
【０００４】
また、近年、このようなＡＶ機器に対して、記録媒体に別個に記録されている様々なフォーマットの画像データと音声データを同時に再生する機能が提案されている。この機能により、再生する画像データに適合した音声データをＢＧＭとして再生したり、再生する音声データに適合した画像データを背景画像として再生したりすることができるようになる。
【０００５】
以下、記録媒体に別個に記録されている音声データと画像データを同時に再生する従来のＡＶ再生装置について、図８を用いて説明する。
図８は、光ディスク（記録媒体）に別個に記録されている音声データと画像データを同時に再生する従来のＡＶ再生装置の構成概略図を示すものである。
【０００６】
図８において、光ディスク８００には圧縮された画像データと音声データが記録されている。光ディスク再生手段８０７は、画像データや音声データ等を光ディスク８００から取得して内部データ蓄積部８０２に格納するための指令を発行する。光ディスク制御部８０１は、光ディスク再生手段８０７の指令によって光ディスク８００に記録されている画像データや音声データ等を読み取る。内部データ蓄積部８０２は、光ディスク再生手段８０７の指令によってその読み取られた画像データや音声データ等を格納する。
【０００７】
データ切り替え部８０３は、データ選択手段８０８の指令によって、内部データ蓄積部８０２に格納された画像データ８０２−１と音声データ８０２−２を切り替えて出力する。このとき、画像データ８０２−１と音声データ８０２−２を同時に再生するために、データ選択手段８０８の指令によってデータ切り替え部８０３は画像データ８０２−１と音声データ８０２−２を時分割に切り替える。
【０００８】
画像データ・音声データデコード部８０４は光ディスク再生手段８０７からの指令によってデータ切り替え部８０３からの画像データ８０２−１もしくは音声データ８０２−２をデコード処理する。音声データ出力部８０５は、デコード処理後の音声データを基に音声出力し（出音）、画像データ出力部８０６は、デコード処理後の画像データを基に画像出力する（出画）。
【０００９】
以上の構成により、記録媒体に別個に記録されている様々なフォーマットの画像データと音声データを同時に再生することができるようになる。そして、この構成において、再生する画像データに適合した音声データをＢＧＭとして再生したり、再生する音声データに適合した画像データを背景画像として再生したりするために、従来のＡＶ再生装置では、予め作成された画像データと音声データを関連付けた独自リストを保持しておき、このリストを参照することで、ある画像データに相応しい音声データを自動的に組み合わせて再生するようにしていた（例えば、特許文献１参照。）。
【００１０】
このように、従来のＡＶ再生装置では、記録媒体に別個に記録されている音声データと画像データの中から同時に再生する音声データと画像データを選択するために、予め作成した画像データと音声データを関連付けた独自リストを保持・参照する構成となっていた。しかしながら、この独自リストの作成はユーザの手操作で行う必要があり、煩雑であった。
【００１１】
一方、近年、ＤＶＤプレーヤやＤＶＤレコーダなどのＡＶ機器では、ＨＤＤ（Ｈａｒｄ  Ｄｉｓｋ  Ｄｒｉｖｅ）を搭載したり、ＳＤ（Ｓｅｃｕｒｅ  Ｄｉｇｉｔａｌ）などのメモリカードに対応させるなどの機能強化が進んでいる。
【００１２】
このような中、ＰＣ（Ｐｅｒｓｏｎａｌ  Ｃｏｍｐｕｔｅｒ）などの外部機器との通信手段を具備させ、外部機器内の記録媒体に記録されている画像データや音声データなどのコンテンツを外部機器と共有して再生できるようにしたＡＶ再生装置が提案されている（例えば、特許文献２参照。）。
【００１３】
しかし、この従来のＡＶ再生装置は、外部機器からコンテンツを取得して再生するものであり、ＡＶ再生装置内の記録媒体に記録されているコンテンツを再生する際に、外部機器よりタイムラグなくコンテンツを取得して、ＡＶ再生装置内の記録媒体に記録されているコンテンツと外部機器から取得したコンテンツを同時に再生することはできなかった。
【００１４】
このように、従来のＡＶ再生装置には、ＡＶ再生装置内の記録媒体に別個に記録されている画像データと音声データを同時に再生する機能が提供されているが、同時に再生する画像データと音声データの組み合わせはユーザの手操作で決定する必要があり、煩雑であった。
【００１５】
また、外部機器との通信手段を具備することでコンテンツの共有を可能したＡＶ再生装置では、ＡＶ再生装置内の記録媒体に記録されたコンテンツと外部機器から取得したコンテンツを同時に再生することができなかった。
【特許文献１】特開平８−２４９８６５号公報（第２−５頁、第１図）
【特許文献２】特開平８−８４３１５号公報（第２−１４頁、第１図）
【発明の開示】
【発明が解決しようとする課題】
【００１６】
本発明は、上記問題点に鑑み、ＡＶ再生装置内の記録媒体に記録されている音声データの内容に係る情報を含む音声データ管理情報をＡＶ再生装置内の記録媒体から取得して内部データ蓄積部に格納するとともに、外部機器内の記録媒体に記録されている外部画像データの内容に係る情報および外部画像データの記録位置に係る情報を含む外部画像データ位置情報を外部機器より取得して外部データ蓄積部に格納し、これらの音声データ管理情報と外部画像データ位置情報を照合して、音声データに適合する外部画像データを探索しその記録位置の情報を特定しておく。そして、音声データの再生時に、音声データを内部データ格納部に格納するとともに、探索しておいた外部画像データを外部機器より取得して外部データ蓄積部に格納し、これらの音声データと外部画像データを同期を取って再生することにより、同時に再生する音声データと外部画像データの組み合わせの決定に対してユーザの手操作を必要とせず、かつ、音声データを再生するに際して外部機器から外部画像データをタイムラグなく取得し、これらの音声データと画像データを同期を取りながら再生できるＡＶ再生方法、およびＡＶ再生装置を提供することを目的とする。
【課題を解決するための手段】
【００１７】
本発明の請求項１記載のＡＶ再生方法は、ＡＶ再生装置内の記録媒体に記録されている音声データと外部機器より取得した外部画像データとを同期を取って再生するＡＶ再生方法であって、音声データの内容に係る情報を含む音声データ管理情報をＡＶ再生装置内の記録媒体から取得して内部データ蓄積部に格納する音声データ管理情報格納工程と、外部機器内の記録媒体に記録されている外部画像データの内容に係る情報および外部画像データの記録位置に係る情報を含む外部画像データ位置情報を外部機器より取得して外部データ蓄積部に格納する外部画像データ位置情報格納工程と、前記格納した前記音声データ管理情報と前記外部画像データ位置情報を照合し、音声データに適合する外部画像データを探索してその記録位置の情報を特定する適合データ記録位置特定工程と、を備え、音声データの再生時に、前記探索した外部画像データを前記特定した記録位置の情報に基づいて外部機器より取得し、これらの音声データと外部画像データを同期を取って再生することを特徴とする。
【００１８】
本発明の請求項２記載のＡＶ再生方法は、請求項１記載のＡＶ再生方法であって、前記探索した外部画像データを外部機器より取得できなかった場合に、前記外部画像データ位置情報格納工程および前記適合データ記録位置特定工程を再度行うことを特徴とする。
【００１９】
本発明の請求項３記載のＡＶ再生方法は、請求項１もしくは２のいずれかに記載のＡＶ再生方法であって、外部機器から外部機器内の記録媒体が書き換えられたことが通知されると、前記外部画像データ位置情報格納工程および前記適合データ記録位置特定工程を行うことを特徴とする。
【００２０】
本発明の請求項４記載のＡＶ再生方法は、請求項１ないし３のいずれかに記載のＡＶ再生方法であって、前記外部画像データ位置情報格納工程において前記外部画像データ位置情報を取得できなかった場合、あるいは前記適合データ記録位置特定工程において音声データに適合する外部画像データを探索できなかった場合、あるいは前記探索した外部画像データを外部機器より取得できなかった場合に、前記格納した前記音声データ管理情報に基づくインターネット検索を外部機器に実行させ、音声データに適合する外部画像データのインターネット上の位置を示す情報を外部機器より取得して前記外部データ蓄積部に格納する工程を備え、音声データの再生時に、前記インターネット検索した外部画像データを前記インターネット上の位置を示す情報に基づいて外部機器より取得し、これらの音声データと外部画像データを同期を取って再生することを特徴とする。
【００２１】
本発明の請求項５記載のＡＶ再生方法は、請求項１ないし３のいずれかに記載のＡＶ再生方法であって、前記外部データ蓄積部には予め固定画像データが格納されており、前記音声データ管理情報格納工程において前記音声データ管理情報を取得できなかった場合、あるいは前記外部画像データ位置情報格納工程において前記外部画像データ位置情報を取得できなかった場合、あるいは前記適合データ記録位置特定工程において音声データに適合する外部画像データを探索できなかった場合、あるいは前記探索した外部画像データを外部機器より取得できなかった場合に、ＡＶ再生装置内の記録媒体に記録されている音声データと前記固定画像データを同期を取って再生することを特徴とする。
【００２２】
本発明の請求項６記載のＡＶ再生方法は、請求項４記載のＡＶ再生方法であって、前記外部データ蓄積部には予め固定画像データが格納されており、前記インターネット検索により音声データに適合する外部画像データを探索できなかった場合に、ＡＶ再生装置内の記録媒体に記録されている音声データと前記固定画像データを同期を取って再生することを特徴とする。
【００２３】
本発明の請求項７記載のＡＶ再生装置は、ＡＶ再生装置内の記録媒体に記録されている音声データと外部機器より取得した外部画像データとを同期を取って再生するＡＶ再生装置であって、音声データの内容に係る情報を含む音声データ管理情報を当該ＡＶ再生装置内の記録媒体から取得して内部データ蓄積部に格納する音声データ管理情報格納手段と、外部機器内の記録媒体に記録されている外部画像データの内容に係る情報および外部画像データの記録位置に係る情報を含む外部画像データ位置情報を外部機器より取得して外部データ蓄積部に格納する外部画像データ位置情報格納手段と、前記内部データ蓄積部に格納した前記音声データ管理情報と前記外部データ蓄積部に格納した前記外部画像データ位置情報を照合し、音声データに適合する外部画像データを探索してその記録位置の情報を特定する適合データ記録位置特定手段と、を備え、音声データの再生時に、前記適合データ記録位置特定手段により探索した外部画像データを前記適合データ記録位置特定手段により特定した記録位置の情報に基づいて外部機器より取得し、これらの音声データと外部画像データを同期を取って再生することを特徴とする。
【００２４】
本発明の請求項８記載のＡＶ再生装置は、請求項７記載のＡＶ再生装置であって、前記適合データ記録位置特定手段により探索した外部画像データを外部機器より取得できなかった場合に、前記外部画像データ位置情報格納手段および前記適合データ記録位置特定手段による処理を再度実行することを特徴とする。
【００２５】
本発明の請求項９記載のＡＶ再生装置は、請求項７もしくは８のいずれかに記載のＡＶ再生装置であって、外部機器から外部機器内の記録媒体が書き換えられたことが通知されると、前記外部画像データ位置情報格納手段および前記適合データ記録位置特定手段による処理を実行することを特徴とする。
【００２６】
本発明の請求項１０記載のＡＶ再生装置は、請求項７ないし９のいずれかに記載のＡＶ再生装置であって、前記外部画像データ位置情報格納手段によって前記外部画像データ位置情報を取得できなかった場合、あるいは前記適合データ記録位置特定手段によって音声データに適合する外部画像データを探索できなかった場合、あるいは前記適合データ記録位置特定手段により探索した外部画像データを外部機器より取得できなかった場合に、前記内部データ蓄積部に格納した前記音声データ管理情報に基づくインターネット検索を外部機器に実行させ、音声データに適合する外部画像データのインターネット上の位置を示す情報を外部機器より取得して前記外部データ蓄積部に格納する手段を備え、音声データの再生時に、前記インターネット検索した外部画像データを前記インターネット上の位置を示す情報に基づいて外部機器より取得し、これらの音声データと外部画像データを同期を取って再生することを特徴とする。
【００２７】
本発明の請求項１１記載のＡＶ再生装置は、請求項７ないし９のいずれかに記載のＡＶ再生装置であって、前記外部データ蓄積部には予め固定画像データが格納されており、前記音声データ管理情報格納手段によって前記音声データ管理情報を取得できなかった場合、あるいは前記外部画像データ位置情報格納手段によって前記外部画像データ位置情報を取得できなかった場合、あるいは前記適合データ記録位置特定手段によって音声データに適合する外部画像データを探索できなかった場合、あるいは前記適合データ記録位置特定手段により探索した外部画像データを外部機器より取得できなかった場合に、当該ＡＶ再生装置内の記録媒体に記録されている音声データと前記固定画像データを同期を取って再生することを特徴とする。
【００２８】
本発明の請求項１２記載のＡＶ再生装置は、請求項１０記載のＡＶ再生装置であって、前記外部データ蓄積部には予め固定画像データが格納されており、前記インターネット検索によって音声データに適合する外部画像データを探索できなかった場合に当該ＡＶ再生装置内の記録媒体に記録されている音声データと前記固定画像データを同期を取って再生することを特徴とする。
【発明の効果】
【００２９】
本発明によれば、記録媒体に記録された音声データの再生開始時に、音声データに適合した外部画像データを外部機器からタイムラグなく取得して、これらの音声データと外部画像データを同期を取って再生することができる。また、同時に再生する音声データと外部画像データの組み合わせの決定に対してユーザの手操作を必要とせず、機器の操作性を向上させることができる。
【発明を実施するための最良の形態】
【００３０】
以下、本発明の実施の形態について、図面を参照しながら説明する。本実施の形態では、ＡＶ再生装置内の記録媒体、外部機器として、ＡＶ再生装置にセットされた光ディスク、ＰＣを例に説明する。
【００３１】
（実施の形態１）
図１は本実施の形態１におけるＡＶ再生装置の構成概略図を示すものである。当該ＡＶ再生装置は、光ディスクに記録されている音声データと外部機器から取得した画像データ（以下、外部画像データと称す。）とを同期を取って再生する。
【００３２】
図１において、光ディスク１００には圧縮された音声データや音声データ管理情報等が記録されている。音声データ管理情報は、例えばＩＤ３タグや、ＷＭＡタグ、ＣＤ−ＴＥＸＴデータなどの付加情報であり、音声データのタイトル名やアーティスト名など、音声データの内容に係る情報を含む。
【００３３】
一方、外部機器１１３内の記録媒体には圧縮された外部画像データや外部画像データ位置情報等が記録されている。外部画像データ位置情報は、例えば外部機器１１３が外部画像データをファイルとして管理している場合には、そのファイル名、パス名の情報であり、外部機器１１３の記録媒体に記録されている外部画像データの内容に係る情報およびその外部画像データの記録位置に係る情報を含む。
【００３４】
光ディスク再生手段１０７は、音声データや音声データ管理情報等を光ディスク１００から取得して内部データ蓄積部１０２に格納するための指令を発行する。ここでは、光ディスク再生手段１０７が音声データ管理情報格納手段を担う。
【００３５】
光ディスク制御部１０１は、光ディスク再生手段１０７の指令によって光ディスク１００に記録されている音声データや音声データ管理情報等を読み取る。内部データ蓄積部１０２は、光ディスク再生手段１０７の指令によってその読み取られた音声データや音声データ管理情報等を格納する。
【００３６】
外部データ格納手段１０９は、外部機器１１３内の記録媒体に記録されている外部画像データや外部画像データ位置情報等を外部機器より取得して外部データ蓄積部１１１に格納するための指令を発行する。ここでは、外部データ格納手段１０９が外部画像データ位置情報格納手段を担う。
【００３７】
当該ＡＶ再生装置は、外部データ格納手段１０９の指令によって通信部１１２を経由して外部機器１１３にアクセスして、外部機器１１３内の記録媒体に記録されている外部画像データや外部画像データ位置情報等を取得する。外部データ蓄積部１１１は、外部データ格納手段１０９の指令によって、その取得された外部画像データや外部画像データ位置情報等を格納する。
【００３８】
適合データ位置特定手段１１０は、光ディスク１００に記録されている音声データの再生開始時に、内部データ蓄積部１０２に格納されている音声データ管理情報１０２−２と外部データ蓄積部１１１に格納されている外部画像データ位置情報１１１−３を照合し、例えばタイトル名とファイル名の完全一致、一部一致などを適合の条件として、音声データに適合する外部画像データを探索してその記録位置の情報を特定する。ここでは、適合データ位置特定手段１１０が適合データ記録位置特定手段を担う。
【００３９】
音声データの再生が開始されると、光ディスク制御部１０１は光ディスク１００に記録されている音声データを読み取り、内部データ蓄積部１０２はその読み取られた音声データを格納する。また、当該ＡＶ再生装置は、適合データ位置特定手段１１０によって音声データに適合する外部画像データが探索された場合、通信部１１２を経由して外部機器１１３にアクセスして、目的の外部画像データを適合データ位置特定手段１１０により特定した記録位置の情報に基づいて取得し、外部データ蓄積部１１１へその取得した外部画像データを格納する。
【００４０】
データ切り替え部１０３は、データ選択手段１０８の指令によって、内部データ蓄積部１０２に格納された音声データ１０２−１と外部データ蓄積部１１１に格納された外部画像データ１１１−１を切り替えて出力する。このとき、音声データ１０２−１と外部画像データ１１１−１を同時に再生するために、データ選択手段１０８の指令によってデータ切り替え部１０３は音声データ１０２−１と外部画像データ１１１−１を時分割に切り替える。
【００４１】
なお、外部データ蓄積部１１１には、外部機器１１３から音声データに適合する外部画像データが取得できない場合を考慮して、固定画像データ１１１−２が予め一つ以上格納されており、データ選択手段１０８は、音声データに適合する外部画像データが探索されなかった場合、データ切り替え部１０３に固定画像データ１１１−２を選択させる。なお、固定画像データが複数ある場合には、固定画像データの中から音声データに適合する画像データを選択するようにしてもよい。
【００４２】
画像データ・音声データデコード部１０４は、光ディスク再生手段１０７からの指令によってデータ切り替え部１０４からの音声データもしくは外部画像データをデコード処理する。
【００４３】
音声データ出力部１０５は、デコード処理後の音声データを基に音声出力し（出音）、画像データ出力部１０６は、デコード処理後の画像データを基に画像出力する（出画）。また、これらの出音・出画のタイミングは、光ディスク再生手段１０７からの指令によって同期が保たれる。
【００４４】
以上のように構成された当該ＡＶ再生装置の動作を、以下に説明する。
図２は音声データ管理情報格納工程のフローチャートを示す図である。
まず、当該ＡＶ再生装置は、光ディスク１００がセットされると、光ディスク再生手段１０７により光ディスク１００に音声データ管理情報が記録されているか否かを確認する（ステップＳ２００）。
【００４５】
音声データ管理情報が記録されている場合（ステップＳ２０１のＹｅｓ）、当該ＡＶ再生装置は、光ディスク１００から音声データ管理情報を読み取って内部データ蓄積部１０２へ格納する（ステップＳ２０２）。音声データ管理情報を取得できなかった場合（ステップＳ２０１のＮｏ）は処理を終了し、固定画像データ１１１−２を使用して再生を行う。
【００４６】
図３は外部機器１１３のファイル検索機能を使用した外部画像データ位置情報格納工程のフローチャートを示す図である。
まず、当該ＡＶ再生装置は、外部機器１１３との接続を開始する（ステップＳ３００）。
【００４７】
外部機器１１３と接続できた場合（ステップＳ３０１のＹｅｓ）、当該ＡＶ再生装置は、外部データ格納手段１０９の指令によって通信部１１２を経由して外部機器１１３へアクセスし、ファイル検索実行の制御指示を送る（ステップＳ３０２）。外部機器１１３と接続できない場合（ステップＳ３０１のＮｏ）は処理を終了し、固定画像データ１１１−２を使用して再生を行う。
【００４８】
外部機器１１３においてファイル検索が実行され（ステップＳ３０３）、ファイル検索が終了した後（ステップＳ３０４のＹｅｓ）、当該ＡＶ再生装置は、外部機器１１３との通信によりそのファイル検索の結果を受け、外部機器１１３の記録媒体から外部画像データを検出できたかどうかを確認する（ステップＳ３０６）。
【００４９】
外部画像データを検出できた場合（ステップＳ３０６のＹｅｓ）、当該ＡＶ再生装置は、通信部１１２を経由して外部機器１１３へアクセスして、外部画像データ位置情報（ファイル名やパス名）を取得し、外部データ蓄積部１１１に格納する（ステップＳ３０７）。外部画像データを検出できなかった場合（ステップＳ３０６のＮｏ）は処理を終了し、固定画像データ１１１−２を使用して再生を行う。
【００５０】
また、当該ＡＶ再生装置は、ファイル検索が終了していない間は（ステップＳ３０４のＮｏ）、一定時間のタイムアウトを監視し（ステップＳ３０５）、一定時間内であれば（ステップＳ３０５のＮｏ）ファイル検索を継続させ、タイムアウトの場合は（ステップＳ３０５のＹｅｓ）処理を終了させ、固定画像データ１１１−２を使用して再生を行う。
【００５１】
図４は適合データ記録位置特定工程、外部画像データ取得工程、および再生工程のフローチャートを示す図である。
まず、セットされた光ディスク１００の音声データの再生を開始する場合（ステップＳ４００のＹｅｓ）、当該ＡＶ再生装置は、外部機器１１３と接続されているか否かを確認する（ステップＳ４０１）。再生を開始しない場合（ステップＳ４００のＮｏ）は処理を終了する。
【００５２】
接続されている場合（ステップＳ４０１のＹｅｓ）、当該ＡＶ再生装置は、外部画像データ位置情報１１１−３が取得されているか否かを確認する（ステップＳ４０２）。外部機器１１３と接続されていない場合（ステップＳ４０１のＮｏ）や、外部画像データ位置情報が取得されていない場合（ステップＳ４０２のＮｏ）には、ステップＳ４１０へ移行する。
【００５３】
外部画像データ位置情報が取得されている場合（ステップＳ４０２のＹｅｓ）、当該ＡＶ再生装置は、音声データ管理情報１０２−２が取得されているか否かを確認する（ステップＳ４０３）。音声データ管理情報が取得されていない場合（ステップＳ４０３のＮｏ）には、ステップＳ４１０へ移行する。
【００５４】
音声データ管理情報が取得されている場合（ステップＳ４０３のＹｅｓ）、適合データ位置特定手段１１０が外部画像データ位置情報１１１−３と音声データ管理情報１０２−２を照合し、音声データに適合する外部画像データを探索してその記録位置の情報を特定する（ステップＳ４０４）。
【００５５】
照合の結果、音声データに適合した外部画像データがある場合は（ステップＳ４０５のＹｅｓ）、当該ＡＶ再生装置は、通信部１１２を経由して外部機器１１３へアクセスして、目的の外部画像データの記録位置の情報に基づき、その目的の外部画像データを取得するための制御指示を送る（ステップＳ４０６）。適合する外部画像データがない場合（ステップＳ４０５のＮｏ）には、ステップＳ４１０へ移行する。
【００５６】
実際に外部機器１１３の記録媒体に目的の外部画像データがあった場合には（ステップＳ４０７のＹｅｓ）、当該ＡＶ再生装置は、外部機器１１３との通信により目的の外部画像データを取得して、外部データ蓄積部１１１に格納する（ステップＳ４０８）。外部機器１１３の記録媒体が書き換えられるなどして目的の外部画像データを外部機器１１３の記録媒体から取得できなかった場合（ステップＳ４０７のＮｏ）には、ステップＳ４１０へ移行する。
【００５７】
そして、当該ＡＶ再生装置は、外部データ蓄積部１１１に格納されている外部画像データ１１１−１もしくは固定画像データ１１１−２を読み出して（ステップＳ４０９もしくはステップＳ４１０）、画像データの再生（出画）を開始するとともに（ステップＳ４１１）、画像データの再生（出画）と同期を取りながら音声データの再生（出音）を開始する（ステップＳ４１２）。
【００５８】
（実施の形態２）
続いて、本発明の実施の形態２について説明する。実施の形態１では、図４のステップＳ４０７において、ステップＳ４０４で探索した外部画像データを外部機器の記録媒体より取得できなかった場合に、固定画像データを使用したが、本実施の形態２では、再度、外部機器の記録媒体より外部画像データ位置情報を取得して、外部データ蓄積部１１１内の外部画像データ位置情報１１１−３を更新する。
【００５９】
図５は本実施の形態２における外部画像データ位置情報格納工程のフローチャートを示す図である。
まず、図４で説明したステップＳ４０７において、ステップＳ４０４で探索した外部画像データを外部機器１１３の記録媒体より取得できなかった場合（ステップＳ４０７のＮｏ）に、当該ＡＶ再生装置は、外部機器１１３の記録媒体が書き換えられたものと判断し、外部データ格納手段１０９の指令によって通信部１１２を経由して外部機器１１３へアクセスし、ファイル検索実行の制御指示を送る（ステップＳ５０１）。外部機器１１３の記録媒体より目的の外部画像データを取得できた場合（ステップＳ４０７のＹｅｓ）には処理を終了し、図４のステップＳ４０８へ移行する。
【００６０】
外部機器１１３においてファイル検索が実行され（ステップＳ５０２）、ファイル検索が終了した後（ステップＳ５０３のＹｅｓ）、当該ＡＶ再生装置は、外部機器１１３との通信によりそのファイル検索の結果を受け、外部機器１１３の記録媒体から外部画像データを検出できたかどうかを確認する（ステップＳ５０５）。
【００６１】
外部画像データを検出できた場合（ステップＳ５０５のＹｅｓ）、当該ＡＶ再生装置は、通信部１１２を経由して外部機器１１３へアクセスして、外部画像データ位置情報（ファイル名やパス名）を取得し、外部データ蓄積部１１１に格納する（ステップＳ５０６）。外部画像データを検出できなかった場合（ステップＳ５０５のＮｏ）は処理を終了して、図４のステップＳ４１０へ移行する。
【００６２】
また、当該ＡＶ再生装置は、ファイル検索が終了していない間は（ステップＳ５０３のＮｏ）、一定時間のタイムアウトを監視し（ステップＳ５０４）、一定時間内であれば（ステップＳ５０４のＮｏ）ファイル検索を継続させ、タイムアウトの場合（ステップＳ５０４のＹｅｓ）は処理を終了させ、図４のステップＳ４１０へ移行する。
【００６３】
以上のように、本実施の形態２によれば、音声データ管理情報１０２−２と外部画像データ位置情報１１１−３を照合した結果、音声データに適合する外部画像データを探索することはできたが、外部機器１１３よりその外部画像データを取得できなかった場合に、外部機器１１３の記録媒体が書き換えられたものと判断して、自動的に、再度、外部画像データ位置情報格納手段による外部画像データ位置情報格納工程の処理を実行する。
【００６４】
（実施の形態３）
続いて、本発明の実施の形態３について説明する。本実施の形態３におけるＡＶ再生装置では、外部機器から記録媒体が書き換えられたことが通知されると、外部機器の記録媒体より外部画像データ位置情報を取得し、外部データ蓄積部１１１内の外部画像データ位置情報１１１−３を更新する。
【００６５】
図６は外部機器からの通知による外部画像データ位置情報格納工程のフローチャートを示す図である。
外部機器１１３から記録媒体が書き換えられたことが通知されると（ステップＳ６００）、当該ＡＶ再生装置は、外部機器１１３から通知を受けた否かを確認する（ステップＳ６０１）。
【００６６】
通知を受けた場合（ステップＳ６０１のＹｅｓ）には、当該ＡＶ再生装置は、外部データ格納手段１０９の指令によって通信部１１２を経由して外部機器１１３へアクセスし、ファイル検索実行の制御指示を送る（ステップＳ６０２）。外部機器１１３から通知を受けていない場合（ステップＳ６０１のＮｏ）は処理を終了して、固定画像データ１１１−２を使用して再生を行う。
【００６７】
外部機器１１３においてファイル検索が実行され（ステップＳ６０３）、ファイル検索が終了した後（ステップＳ６０４のＹｅｓ）、当該ＡＶ再生装置は、外部機器１１３との通信によりそのファイル検索の結果を受け、外部機器１１３の記録媒体から外部画像データを検出できたかどうかを確認する（ステップＳ６０６）。
【００６８】
外部画像データを検出できた場合（ステップＳ６０６のＹｅｓ）、当該ＡＶ再生装置は、通信部１１２を経由して外部機器１１３へアクセスして、外部画像データ位置情報（ファイル名やパス名）を取得し、外部データ蓄積部１１１に格納する（ステップＳ６０７）。外部画像データを検出できなかった場合（ステップＳ６０６のＮｏ）は処理を終了して、固定画像データ１１１−２を使用して再生を行う。
【００６９】
また、当該ＡＶ再生装置は、ファイル検索が終了していない間は（ステップＳ６０４のＮｏ）、一定時間のタイムアウトを監視し（ステップＳ６０５）、一定時間内であれば（ステップＳ６０５のＮｏ）ファイル検索を継続させ、タイムアウトの場合（ステップＳ６０５のＹｅｓ）は処理を終了させ、固定画像データ１１１−２を使用して再生を行う。
【００７０】
以上のように、本実施の形態３によれば、外部機器から記録媒体が書き換えられたことが通知されると、外部画像データ位置情報格納手段による外部画像データ位置情報格納工程の処理を実行する。
【００７１】
（実施の形態４）
続いて、本発明の実施の形態４について説明する。実施の形態１では、外部画像データ位置情報格納工程において外部画像データ位置情報を取得できなかった場合（図４のステップＳ４０２）、あるいは適合データ記録位置特定工程において音声データに適合する外部画像データを探索できなかった場合（図４のステップＳ４０５）、あるいは探索した外部画像データを外部機器より取得できなかった場合（図４のステップＳ４０７）に、固定画像データを使用したが、本実施の形態４では、これらの場合にさらに外部機器１１３にインターネット検索を実行させ、それによって取得した外部画像データを使用して再生を行う。
【００７２】
すなわち、本実施の形態４におけるＡＶ再生装置では、外部データ格納手段１０９が、音声データ管理情報に基づくインターネット検索を外部機器１１３に実行させ、音声データに適合する外部画像データのインターネット上の位置を示す情報を外部機器１１３より取得して外部データ蓄積部１１１に外部画像データ位置情報１１１−３として格納する手段を担う。
【００７３】
図７は外部機器１１３のインターネット検索機能を使用した外部画像データ位置情報格納工程（音声データ管理情報に基づくインターネット検索を外部機器１１３に実行させ、音声データに適合する外部画像データのインターネット上の位置を示す情報を外部機器１１３より取得して外部データ蓄積部１１１に外部画像データ位置情報１１１−３として格納する工程）のフローチャートを示す図である。
【００７４】
まず、当該ＡＶ再生装置は、外部画像データを外部機器１１３より取得できなかった場合（ステップＳ７００のＮｏ）、外部データ格納手段１０９の指令によって通信部１１２を経由して外部機器１１３へアクセスし、外部機器１１３のインターネット検索実行の制御指示を送り、音声データに適合する画像データを検索させる（ステップＳ７０１）。なお、インターネット検索は、例えば音声データ管理情報に含まれるタイトル名を用いたキーワード検索などによって行う。外部画像データを外部機器１１３より取得できた場合（ステップＳ７００のＹｅｓ）は処理を終了する。
【００７５】
外部機器１１３においてインターネット検索が実行され（ステップＳ７０２）、インターネット検索が終了した後（ステップＳ７０３のＹｅｓ）、当該ＡＶ再生装置は、外部機器１１３との通信によりそのインターネット検索の結果を受け、外部画像データを検出できたかどうかを確認する（ステップＳ７０５）。
【００７６】
外部画像データを検出できた場合（ステップＳ７０５のＹｅｓ）、当該ＡＶ再生装置は、通信部１１２を経由して外部機器１１３へアクセスして、その音声データに適合する外部画像データのインターネット上の位置を示す情報を取得して外部データ蓄積部１１１に外部画像データ位置情報１１１−３として格納する（ステップＳ７０６）。外部画像データを検出できなかった場合（ステップＳ７０５のＮｏ）は処理を終了し、固定画像データ１１１−２を使用して再生を行う。なお、外部画像データのインターネット上の位置を示す情報としては、例えば“ＵＲＬ”の取得を行う。
【００７７】
また、当該ＡＶ再生装置は、インターネット検索が終了していない間は（ステップＳ７０３のＮｏ）、一定時間のタイムアウトを監視し（ステップＳ７０４）、一定時間内であれば（ステップＳ７０４のＮｏ）インターネット検索を継続させ、タイムアウトの場合（ステップＳ７０４のＹｅｓ）は処理を終了させ、固定画像データ１１１−２を使用して再生を行う。
【００７８】
以上のように、実施の形態１〜４によれば、光ディスクなどの記録媒体に記録されている音声データの再生開始時に、音声データに適合する外部画像データを外部機器からタイムラグなく取得して、これらの音声データと外部画像データを同期を取って再生することができる。また、同時に再生する音声データと外部画像データの組み合わせの決定に対してユーザの手操作を必要とせず、機器の操作性を向上させることができる。
【００７９】
なお、実施の形態１〜４では、光ディスクに音声データが記録されており、外部機器よりその音声データに適合する画像データを自動的に取得して、これらのデータを同時に再生する場合について説明したが、無論、光ディスクに画像データが記録されており、外部機器よりその画像データに適合する音声データを自動的に取得して、これらのデータを同時に再生することも、同様に実施することができる。
【産業上の利用可能性】
【００８０】
本発明に係るＡＶ再生方法、およびＡＶ再生装置は、光ディスクなどの記録媒体に記録されている音声データの再生開始時に、音声データに適合する外部画像データを外部機器からタイムラグなく取得して、これらの音声データと外部画像データを同期を取って再生することができ、かつ同時に再生する音声データと外部画像データの組み合わせの決定に対してユーザの手操作を必要とせず、機器の操作性を向上させることができ、ＤＶＤプレーヤやＤＶＤレコーダ、音声データと画像データを同時に再生できるテレビシステム等に応用できる。
【図面の簡単な説明】
【００８１】
【図１】本発明の実施の形態１におけるＡＶ再生装置の構成概略図
【図２】本発明の実施の形態１のＡＶ再生装置における音声データ管理情報格納工程のフローチャートを示す図
【図３】本発明の実施の形態１のＡＶ再生装置における外部機器のファイル検索機能を使用した外部画像データ位置情報格納工程のフローチャートを示す図
【図４】本発明の実施の形態１のＡＶ再生装置における適合データ記録位置特定工程、外部画像データ取得工程、および再生工程のフローチャートを示す図
【図５】本発明の実施の形態２のＡＶ再生装置における外部画像データ位置情報格納工程のフローチャートを示す図
【図６】本発明の実施の形態３のＡＶ再生装置における外部機器からの通知による外部画像データ位置情報格納工程のフローチャートを示す図
【図７】本発明の実施の形態４のＡＶ再生装置における外部機器のインターネット検索機能を使用した外部画像データ位置情報格納工程のフローチャートを示す図
【図８】光ディスク（記録媒体）に別個に記録されている音声データと画像データを同時に再生する従来のＡＶ再生装置の構成概略図
【符号の説明】
【００８２】
１００、８００      光ディスク
１０１、８０１      光ディスク制御部
１０２、８０２      内部データ蓄積部
１０３、８０３      データ切り替え部
１０４、８０４      画像データ・音声データデコード部
１０５、８０５      音声データ出力部
１０６、８０６      画像データ出力部
１０７、８０７      光ディスク再生手段
１０８、８０８      データ選択手段
１０９      外部データ格納手段
１１０      適合データ位置特定手段
１１１      外部データ蓄積部
１１２      通信部
１１３      外部機器
【図１】
2005328207.tif 000003
【図２】
2005328207.tif 000004
【図３】
2005328207.tif 000005
【図４】
2005328207.tif 000006
【図５】
2005328207.tif 000007
【図６】
2005328207.tif 000008
【図７】
2005328207.tif 000009
【図８】
2005328207.tif 000010